(57)【要約】  【課題】  取付工事を容易にでき、外観イメージを向上できるカメラ取付装置を提供する。  【解決手段】  第１取付台部材１２は、カメラ設置場所に固定される。第２取付台部材１４は、第１取付台部材１２に取り付けられている。第１取付台部材１２と第２取付台部材１４は、カメラ配線を通す内部配線室２０を形成しており、また、第２取付台部材１４が、第１取付台部材１２に対して開閉可能にヒンジ部２２で結合されている。第２取付台部材１４を複数方向に開閉可能なように複数のヒンジ部２２が設けられている。【選択図】  図１
2005323037.tif 000002
【特許請求の範囲】
【請求項１】
カメラ設置場所に取り付けるための取付部が設けられた第１の取付台部材と、前記第１の取付台部材に取り付けられた第２の取付台部材とを備え、前記第１の取付台部材と前記第２の取付台部材がカメラ配線を通す内部配線室を形成しており、前記第２の取付台部材が、前記第１の取付台部材に対して開閉可能にヒンジ結合されていることを特徴とするカメラ取付装置。
【請求項２】
前記第１の取付台部材と前記第２の取付台部材が、複数の方向に前記第２の取付台部材を開閉可能なように複数のヒンジ結合構造を備えていることを特徴とする請求項１に記載のカメラ取付装置。
【発明の詳細な説明】
【技術分野】
【０００１】
本発明は、監視カメラなどを設置するためのカメラ取付装置に関する。
【背景技術】
【０００２】
従来、監視カメラを壁面および天井などに設置するためにカメラ取付装置が用いられている（例えば特許文献１参照）。
【０００３】
図６は、従来の典型的なカメラ取付装置を示している。カメラ取付装置１００は、カメラ取付台１０２で構成されている。カメラ取付台１０２が壁等の設置面１０４に固定され、カメラ取付台１０２にカメラ１０６が取り付けられる。また、ケーブル１０８は、カメラ１０６から壁面に延び、壁面へ埋め込まれている。
【０００４】
カメラ設置作業では、まず、カメラ１０６およびカメラ取付台１０２を保持した状態で、ケーブル１０８の結線処理が行われる。その後、カメラ取付台１０２が設置面１０４に取り付けられる。
【特許文献１】特開平５−１９１６８９号公報（第２ページ、図１）
【発明の開示】
【発明が解決しようとする課題】
【０００５】
しかしながら、従来のカメラ取付装置においては、作業者が、カメラとカメラ取付台とを保持した状態で結線処理を行うので、取付工事が容易でないという問題があった。また、前出の図のようにカメラ取付台の取付部とケーブル埋込部が別々であり、ケーブルが露出しており、その点で外観イメージがよくないという問題があった。
【０００６】
本発明は、上記課題を解決するためになされたもので、その目的は、取付工事が容易で、外観イメージを向上できるカメラ取付装置を提供することにある。
【課題を解決するための手段】
【０００７】
本発明のカメラ取付装置は、カメラ設置場所に取り付けるための取付部が設けられた第１の取付台部材と、前記第１の取付台部材に取り付けられた第２の取付台部材とを備え、前記第１の取付台部材と前記第２の取付台部材が、カメラ配線を通す内部配線室を形成しており、前記第２の取付台部材が、前記第１の取付台部材に対して開閉可能にヒンジ結合されている。
【０００８】
この構成により、第１の取付台部材がカメラ設置場所に取り付けられ、第２の取付台部材が第１の取付台部材に取り付けられた状態で、ヒンジを利用して第２の取付台部材を開き、内部配線室の結線処理を行うことができ、したがって、取付工事を容易にすることができる。また、内部配線室を設けているので、カメラ配線が露出しなくてよく、外観イメージを向上することができる。
【０００９】
また、本発明のカメラ取付装置では、前記第１の取付台部材と前記第２の取付台部材が、複数の方向に前記第２の取付台部材を開閉可能なように複数のヒンジ結合構造を備えている。
【００１０】
この構成により、カメラを複数方向の隅部に設置することができ、カメラ設置場所の自由度を増すことができる。
【発明の効果】
【００１１】
本発明は、第１取付台部材と第２取付台部材を設け、両者で内部配線室を構成し、かつ、両者をヒンジで結合することで、取付工事が容易にでき、外観イメージを向上できるという効果を有するカメラ取付装置を提供することができるものである。
【発明を実施するための最良の形態】
【００１２】
以下、本発明の実施の形態のカメラ取付装置について、図面を用いて説明する。
【００１３】
本発明の実施の形態のカメラ取付装置を図１ないし図４に示す。図１はカメラ取付装置の斜視図であり、図２および図３は分解斜視図であり、図４は、設置状態を示す図である。図４の例では、設置面が壁である。
【００１４】
図示のように、全体構成としては、カメラ取付装置１０は、第１取付台部材１２と第２取付台部材１４とを備えており、両者によってカメラ取付台が構成されている。第１取付台部材１２は設置面１６取り付けられ、第２取付台部材１４にはカメラ１８が取り付けられている。第１取付台部材１２と第２取付台部材１４は、内部空洞である内部配線室２０を形成しており、また、第２取付台部材１４は、ヒンジ部２２で第１取付台部材１２に開閉可能に取り付けられている。以下、各部の構成を詳細に説明する。
【００１５】
第１取付台部材１２は、アルミ製であり、箱形の形状を有しており、すなわち、４角形の底板３０と、底板３０を取り囲むように設けられた側壁３２で構成されている。底板３０は、第１取付台部材１２を設置面１６に取り付けるための取付部として機能しており、ねじ３６が底板３０の穴３４を通して設置面１６に締め付けられている。例えば、設置面１６にスイッチボックス３８が埋め込まれており、底板３０はスイッチボックス３８に締結されている。
【００１６】
第２取付台部材１４は、アルミ製であり、蓋部４０とアーム部４２で構成されている。蓋部４０は四角形であり、第１取付台部材１２の箱形構造の蓋に相当している。すなわち、蓋部４０は、第１取付台部材１２の側壁３２が作る四角形に対応する形状を有し、蓋部４０の４辺が側壁３２の端部に合わされ、これにより内部配線室２０が形成されている。
【００１７】
アーム部４２は、筒型の形状を有しており、蓋部４０の中央から突出している。アーム部４２の先端には結合部４４が設けられており、結合部４４にはカメラ１８が結合されている。より詳細には、カメラ１８の雲台４６がアーム部４２の結合部４６に嵌められ、両者がねじで固定されている。
【００１８】
蓋部４０は、ヒンジ部２２で、第１取付台部材１２の側壁３２に結合されており、これにより、ヒンジ部２２を中心に蓋部４０を回転し、内部配線室２０を開閉することができる。ヒンジ部２２は、側壁３２の端部に設けられた上下の凸部５０、５２と、蓋部４０の縁部に設けられた凸部５４で構成されている。蓋部４０の凸部５４が、側壁３２の凸部５０、５２の間に挿入されている。そして、ねじ５６が、凸部５０、５４を貫通し、凸部５２のねじ穴に締め付けられている。これにより、ねじ５６が軸になり、凸部５４が軸受けになり、ヒンジ構造が構成されている。
【００１９】
図示のように、ヒンジ構造は、第１取付台部材１２および第２取付台部材１４の両側の２カ所に設けられている。すなわち、ヒンジ構造は、内部配線室２０を挟んで２カ所に設けられている。本実施の形態では、これら２カ所のうちの一方が使用される。すなわち、一方のヒンジ構造にねじ５６が組み付けられ、ヒンジの機能が得られる。他方のヒンジ構造は、ねじ５６が組み付けられず、ヒンジとして使われない。どちらのヒンジ構造を使用するかは、後述するように、カメラ設置場所に応じて選択される。
【００２０】
蓋部４０には、さらに、アーム部４２を取り囲むようにして４つの穴６０が設けられている。そして、第１取付台部材１２の底板３０には、４つの穴６０に対応して４本のボス６２が突設されており、ボス６２にはねじ穴が設けられている。そして、ねじ６４が穴６０を通してボス６２に締め付けられており、これにより、第２取付台部材１４が第１取付台部材１２に固定されている。
【００２１】
また、蓋部４０の縁に沿って延びるように縁壁部６６が設けられており、第１取付台部材１２にも、側壁３２の端部に沿って縁壁部６８が設けられている。側壁３２の縁壁部６８の外側に、蓋部４０の縁壁部６６が嵌り、これにより、内部配線室２０へのほこり等の進入が防止されている。
【００２２】
さらに、蓋部４０の裏側には、クランプ７０が取り付けられている。クランプ７０は、アーム部４２の内部空洞への入り口部分に配置されている。クランプ７０には、カメラ側のケーブル７２が引っかけられている。ケーブル７２は、アーム部４２の中を通ってカメラ１８へと接続されている。
【００２３】
カメラ側のケーブル７２は、内部配線室２０内で、設置面側のケーブル７４と結線されている。設置面側のケーブル７４は、底板３０に設けられた穴７６を通って、設置面１６の中に延びている。ケーブル７４は、設置面１６に埋め込まれたスイッチボックス３８へ延びている。
【００２４】
また、蓋部４０の表側には、樹脂製の化粧カバー８０が取り付けられている。化粧カバー８０は、ねじ８２でもって、蓋部４０のねじ穴８４に固定されている。
【００２５】
以上に、本実施の形態のカメラ取付装置１０の構成を説明した。次に、カメラ取付装置１０を使ったカメラ取付工事の好適な手順の例について説明する。カメラを取り付けるときは、まず、第１取付台部材１２が４本のねじ３６で設置面１６に固定される。ここでは、ねじ３６が、底板３０の穴３４に通され、設置面１６に埋め込まれたスイッチボックス３８に締め付けられる。また、このとき、設置面側のケーブル７４が、底板３０の穴を通って、第１取付台部材１２の箱の中へと引き出される。ケーブル７４は、スイッチボックス３８から延びている。
【００２６】
次に、第２取付台部材１４と第１取付台部材１２によりヒンジ構造が形成される。第２取付台部材１４の蓋部４０が、第１取付台部材１２の側壁３２に近づけられ、蓋部４０の縁の凸部５４が、側壁３２の二つの凸部５０、５２の間に挿入される。そして、ねじ５６が、凸部５０、５４の穴に挿入され、凸部５２のねじ穴に締め付けられ、これによりヒンジ構造が得られる。
【００２７】
次に、カメラ１８が、第２取付台部材１４のアーム部４２の先端に取り付けられる。このとき、カメラ側のケーブル７２が、アーム部４２の中を通される。ケーブル７２は、アーム部４２の中を通って、蓋部４０の裏側に出て、クランプ７０に引っかけられる。クランプ７０はあらかじめ蓋部４０の裏側に取り付けられている。そして、ケーブル７２が、設置面側のケーブル７４と結線される。
【００２８】
次に、ヒンジ構造を使って、蓋部４０が閉じられる。蓋部４０の縁壁部６６が、第１取付台部材１２の側壁３２の縁壁部６８の外側に嵌り込む。そして、ねじ６４が蓋部４０の穴６０を通して、第１取付台部材１２のボス６２に締め付けられ、これにより第２取付台部材１４が第１取付台部材１２に固定される。
【００２９】
次に、化粧カバー８０がねじ８２で蓋部４０に取り付けられる。このようにして、カメラ取付工事が行われる。
【００３０】
図５は、カメラ設置場所に応じたヒンジ構造の選択例を示している。図５は、カメラ取付装置１０を上方から見た状態の概略図であり、カメラ取付装置１０の左右にそれぞれヒンジ構造９０、９２が設けられている。ヒンジ構造９０、９２は、図１等に示されているヒンジ構造２２と同じである。
【００３１】
図５（ａ）では、カメラ設置場所が、左側の壁９４の近傍である。この場合、右側のヒンジ９２が使用される。すなわち、右側のヒンジ９２に、軸になるねじが取り付けられ、左側のヒンジ９０には、ねじが取り付けられない。これにより、アーム部４２が壁９４に干渉することなく、第２取付台部材１４を開き、内部の結線作業ができる。
【００３２】
図５（ｂ）では、カメラ設置場所が、右側の壁９６の近傍である。この場合、左側のヒンジ９０に、軸になるねじが取り付けられ、これにより左側のヒンジ９０が使用される。したがって、この場合も、アーム部４２が壁９６に干渉することなく、第２取付台部材１４を開き、内部の結線作業ができる。
【００３３】
以上に説明したように、本実施の形態のカメラ取付装置１０によれば、第１取付台部材１２がカメラ設置場所に固定され、第２取付台部材１４が第１取付台部材１２に取り付けらた状態で、ヒンジ部２２を利用して第２取付台部材を開き、内部配線室２２の結線処理を行うことができ、したがって、取付工事を容易にすることができる。また、内部配線室２０を設けているので、カメラ配線が露出しなくてよく、外観イメージを向上することができる。
【００３４】
また、本実施の形態のカメラ取付装置１０によれば、複数の方向に第２の取付台部材を開閉可能なように、第１取付台部材１２と第２の取付台部材１４が複数のヒンジ結合構造を備えており、これにより、カメラを複数方向の隅部に設置することができ、カメラ設置場所の自由度を増すことができる。
【００３５】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００３６】
以上のように、本発明にかかるカメラ取付装置は、第１取付台部材と第２取付台部材を設け、両者で内部配線室を構成し、かつ、両者をヒンジで結合することで、取付工事が容易にでき、外観イメージを向上できるという効果を有し、監視カメラ等の取付装置として有用である。
【図面の簡単な説明】
【００３７】
【図１】本発明の実施の形態におけるカメラ取付装置の斜視図
【図２】本発明の実施の形態におけるカメラ取付装置の分解斜視図
【図３】本発明の実施の形態におけるカメラ取付装置の分解斜視図
【図４】本発明の実施の形態におけるカメラ取付装置の設置状態を示す図
【図５】カメラ設置場所に応じたヒンジ構造の選択例を示している
【図６】従来のカメラ取付装置を示す図
【符号の説明】
【００３８】
１０  カメラ取付装置
１２  第１取付台部材
１４  第２取付台部材１４
１６  設置面
１８  カメラ
２０  内部配線室
２２  ヒンジ部
４０  蓋部
４２  アーム部
７２、７４  ケーブル
【図１】
2005323037.tif 000003
【図２】
2005323037.tif 000004
【図３】
2005323037.tif 000005
【図４】
2005323037.tif 000006
【図５】
2005323037.tif 000007
【図６】
2005323037.tif 000008